(57)【要約】      （修正有）【課題】多めの枚数の紙片など厚みが厚めのものに挟み付け得るクリップを提供する。【解決手段】外辺Ａ４について、厚みに対応する一定の長さ（横幅）をもつものとした。併せて、挟み付ける操作を容易にするため、一定の縦幅をもつ指押さえを内辺Ｂ２に設けるものとした。また、外辺Ａ４は、略直状に延びて成り、内枠Ｂは、適切なバネ機能を得るための利き幅ｋとして一定の縦幅をもち、外枠Ａは、差し出し幅ｎとして一定の縦幅をもつものとした。【選択図】図１
2018030339.tif 000002
【特許請求の範囲】
【請求項１】
線材が一連に平たく折れ曲がって成る、
外辺Ａ１、Ａ２、Ａ３、Ａ４で成る外枠と、外枠の一端から外枠の内側に曲り込んだ内辺Ｂ１、Ｂ２、Ｂ３で成る内枠を有す、
外辺Ａ４は、略直状に延びて成る、
内枠（Ｂ）は、適切なバネ機能を得るための利き幅（ｋ）として、一定の長さ（縦幅）をもつ、
外枠（Ａ）の下端部分は、差し出し幅（ｎ）として一定の縦幅をもつ、
内辺Ｂ２に、指押さえ（Ｃ）をもつ、尚、指押さえ（Ｃ）は、押さえ幅（ｈ）として、一定の縦幅をもつ、ことを特徴としたクリップ。
【発明の詳細な説明】
【技術分野】
【０００１】
本クリップは、多めの枚数の紙片など、厚みが厚めのものに挟み付けるためのクリップである。
【背景技術】
【０００２】
従来、特許文献１、２のクリップがある。
特許文献１、２のクリップは、ゼムクリップよりも多くの枚数の紙片に挟み付けるためのクリップとして、内枠の内側に迂曲する指押さえ（Ｃ）をもつものである。
然しながら、特許文献１、２のクリップは、多くの欠点がある。
因みに、上記の欠点については、後段で説明する。
【先行技術文献】
【特許文献】
【０００３】
【特許文献１】特開平８−３２４１７０
【特許文献２】実開昭５９−１８１７８１
【発明の概要】
【発明が解決しようとする課題】
【０００４】
多めの枚数の紙片など、厚みが厚めのものに挟み付け得るクリップを得ること。
【課題を解決するための手段】
【０００５】
本クリップは、外辺Ａ１、Ａ２、Ａ３、Ａ４で成る外枠と、外枠の一端から外枠の内側に曲り込んだ内辺Ｂ１、Ｂ２、Ｂ３で成る内枠とで成る。
【０００６】
本クリップは、従来のクリップと同様に、挟み付ける操作に於いて、外枠と内枠との間を押し開いて挟み付ける方法をとるものである。
【０００７】
本クリップは、対象とする厚みに対応するための「厚み対応幅」として、外辺Ａ４が一定の長さ（横幅）をもつ、とするものである。尚、厚みに順応するための形状として、外辺Ａ４は、略直状を成すものである。
【０００８】
「厚み対応幅」として、外辺Ａ４が一定の長さ（横幅）を成す、ということは、それに連れて内枠の横幅（内辺Ｂ１と内辺Ｂ３との間隔）が広めのものとなり、そのままのかたちであれば、挟み付ける際、内枠に指先を押し当て難くなる。その対策として、本クリップは、内辺Ｂ２に指先を押し当て易くするための指押さえ（Ｃ）をもつ、とするものである。
【０００９】
指押さえ（Ｃ）が、適切に機能するためには、一定の縦幅をもつことが肝要である。本クリップは、指先で押さえ易く、指先で押し出し易い指押さえを成し、指先で押さえた状態に於いて内辺Ｂ２の下端寄りの部分が、指先から突き出る程度の一定の縦幅をもつ、とするものである。
【００１０】
内辺Ｂ２に、適切な指押さえを成すためには、前提として内枠の縦幅（ｋ）が、バネクリップとして一定の強度のバネが働くものでなければならない。また、挟む対象の厚みに対応し、その厚みを捉え得る（挟み付け得る）間口を成すための一定の縦幅を成すものでなければならない。
本クリップは、内枠の縦幅（ｋ）が、上記したバネ機能、即ち、硬くもなく、弱くもなく適切に働くバネ機能を得るための利き幅として、一定の縦幅を成す、とするものである。
【００１１】
本クリップは、上記したように内枠の縦幅（ｋ）が、一定の縦幅を成すものであるとともに、外枠の縦幅（ｍ）も一定の縦幅を成す、と云うものである。
即ち、内枠の下端から外枠の下端までの幅を差し出し幅（ｎ）として、一定の縦幅を成す、とするものである。
【００１２】
クリップを挟み付ける際には、外枠の下端部分（ｎ）を差し出し、対象物の縁に押し当てることになる。このとき、挟む対象物の厚みを捉えて、外枠と内枠との間に挟み込むために、上記した差し出し幅（ｎ）が、対象とする厚みを捉え、更には、挟み込み得る間口を成すに足る一定の縦幅をもつことが肝要であり、本クリップは差し出し幅（ｎ）として、一定の縦幅を成す、というものである。
【発明の効果】
【００１３】
厚みが厚めのものに挟み付けることができるクリップを得た。
【図面の簡単な説明】
【００１４】
【図１】本発明のクリップである。
【図２】指押さえ（Ｃ）の縦幅（ｈ）について説明する図である。
【図３】本発明のクリップである。
【発明を実施するための形態】
【００１５】
本クリップは、線材が一連に平たく折り曲がって成るクリップである。依って、平面図として見たかたちで説明する。
【００１６】
以下、図を通して説明する。
【００１７】
図１を説明する。
本クリップは、図１(１)に示すように、外辺Ａ１、Ａ２、Ａ３、Ａ４で成る外枠と、外枠の一端から外枠の内側に曲り込む内辺Ｂ１、Ｂ２、Ｂ３で成る内枠とを有す。
外辺Ａ４は、対象とする厚みに対応する一定の長さ（横幅）を成す、また、厚みに順応するためのかたちとして、略直状を成す。
内辺Ｂ２に、内枠内に迂曲する指押さえ（Ｃ）をもつ。
内辺Ｂ１は、外辺Ａ１に近接した状態で並行する、内辺Ｂ３は、外辺Ａ３に近接した状態で並行する。
【００１８】
本クリップは、図１(２)に示すように、対象とする厚みに対応する横幅（ｅ）として、外辺Ａ４が一定の長さ（横幅）を成す。
内枠の縦幅（ｋ）は、適切なバネの強度を得るため、あるいは、挟み付ける際に対象とする厚みに対応する間口幅を成すための一定の縦幅を成す。
内枠（Ｂ）の下端から外枠（Ａ）の下端までの縦幅（ｎ）は、挟み付ける際の差し出し幅として一定の縦幅を成す。
内辺Ｂ２に成す指押さえ（Ｃ）は、挟み付けを容易にするための押さえ幅（ｈ）として一定の縦幅を成す。
【００１９】
図１(１)と、図１(２)に、ややデザインを異にしたものを示した。
基本的な機能を損なわない限り、デザインは任意であって良いことを説明するものである。
【００２０】
図２を説明する。
図２は、指押さえ（Ｃ）が押さえ幅（ｈ）として、一定の縦幅をもつことについて説明するものである。
図２は、図１(１)に示したクリップの指押さえを、指先で押さえた状態を示した図である。
本クリップは、図に示すように内辺Ｂ２の下端が指先から突き出た状態に摘みもったとき、クリップを安定した状態に摘み持っている感触が得られるよう、あるいはクリップを操作し易い状態に摘みもてている感触が得られるよう、指押さえ（Ｃ）について一定の縦幅をもつ、とするものである。云うならば、内辺Ｂ２の下端が指先から突き出た状態に摘みもたなければ、挟み付けることができないからである。
【００２１】
図３を説明する。
図３に示したクリップも、デザインを異にした実施例の１つである。
【００２２】
本書の冒頭に、特許文献１、２のものは欠点がある、と述べた。
以下にその説明をする。
【００２３】
特許文献１のものは、本書で云うところの内枠の縦幅（ｋ)が、一定の縦幅を成す、と云うものでない。また、差し出し幅（ｎ）が、一定の縦幅を成す、と云うものでない。また、指押さえ（Ｃ）が、一定の縦幅を成す、と云うものでない。
特許文献２のものは、本書で云うところの外辺Ａ１と内辺Ｂ１が、近接した状態で並行するものでない、外辺Ａ３と内辺Ｂ３が、近接した状態で並行するものでない。また、指押さえ（Ｃ）が、一定の縦幅を成す、と云うものでない。
上記したように、特許文献１、２のものは、使い勝手が悪く、実用は困難である。
殊に、肝所である指押さえ（Ｃ）が、指押さえとして役立つに足る一定の縦幅を成すものでない。
【００２４】
本発明は、全体の図を通して発明の全容を説明しているものであって、個々の図で説明する技術内容によって、請求項に記載する技術内容は限定されるものではない。
【００２５】
実施例に於いては、クリップの大きさに対応して、＃１６（１.６ミリ径）、＃１４（２.０ミリ径）、＃１２（２.６ミリ径）の金属線を使用した。
使用途やクリップの大きさに対応してバネの効き具合を勘案し、材料、材質、太さ（径）などを選ぶことが大切である。
【００２６】
本クリップは、使用する材料、材質について限定するものでない。必要な機能を損なわない限り、全体あるいは部分について、形状、輪郭、大きさ、形態、デザインなど任意に決めて良い。
【産業上の利用可能性】
【００２７】
本クリップは、事務用、あるいは日用品として使用することを念頭に開発したものであるが、使用途を限定するものでなく、厚みの薄いものから厚みの厚いものにまで使用できるものとして、従来のクリップが使用されなかった分野でも使用できるものである。
【００２８】
本クリップは、用途に対応して小型のものから大型のものまで多様なサイズと多様な形状形態で対応し、広く利用に供するものである。
【符号の説明】
【００２９】
Ａ      外枠（外辺Ａ１、Ａ２、Ａ３、Ａ４で成る）
Ｂ      内枠（内辺Ｂ１、Ｂ２、Ｂ３で成る）
Ｃ      指押さえ（内辺Ｂ２に成した内枠内に迂曲する部分）
ｅ      横幅、厚み対応幅、外辺Ａ４の長さ
ｋ      内枠の縦幅、バネの利き幅、間口（挟み付け口）を成すための縦幅
ｈ      指押さえ（Ｃ）の縦幅、押さえ幅
ｍ      外枠の縦幅
ｎ      差し出し幅、内枠の縦幅を超える部分の外枠の縦幅
【図１】
2018030339.tif 000003
【図２】
2018030339.tif 000004
【図３】
2018030339.tif 000005
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
線材が一連に平たく折れ曲がって成る、
外辺Ａ１、Ａ２、Ａ３、Ａ４で成る外枠と、外枠の一端から外枠の内側に曲り込んだ内辺Ｂ１、Ｂ２、Ｂ３で成る内枠を有す、
外辺Ａ４は、略直状に延びて成る、
内辺Ｂ２に、指押さえ(Ｃ)をもつ、
縦幅(ｍ)が、横幅(ｅ)よりも長幅で成る、ことを特徴とするクリップ。